(57)【要約】【課題】サウナ室内の温度上昇を抑制するサウナ装置を提供する。【解決手段】ベンチ８とサウナ室との間に空間１０、１４を設けてベンチ８を配置し、ベンチ８の下部にサウナストーブ１を配置し、温度センサ４〜６によってサウナ室内の可燃性部材の温度を検出する。そして、可燃性部位の温度が所定温度となるとサウナストーブ１による熱風の発生を中止する。【選択図】図１
2010167013.tif 000002
【特許請求の範囲】
【請求項１】
腰掛け部とサウナ室の床との間に空間を設け、背もたれ部とサウナ室の側壁との間に空間を設けてベンチを配置し、前記ベンチの内部空間にサウナヒータを配置するサウナ装置において、
前記背もたれ部との間に前記空間を形成する前記サウナ室の側壁、および前記ベンチの可燃性部位のいずれか１箇所以上の温度を検出する温度検出部と、
前記温度検出部によって検出した温度が所定温度以上となる場合に前記サウナヒータによる空気の加熱を減少するサウナヒータ制御部と、を備えることを特徴とするサウナ装置。
【請求項２】
前記背もたれ部と前記サウナ室の側壁との間の空間に前記サウナヒータによって発生する熱風を供給する第１ダクトを備えることを特徴とする請求項１に記載のサウナ装置。
【請求項３】
前記第１ダクトに連結し、前記背もたれ部に沿って鉛直方向に延設する第２ダクトを備えることを特徴とする請求項２に記載のサウナ装置。
【請求項４】
前記第２ダクトに支持され、前記熱風によって加熱される前記サウナストーンが載置される多孔板を備えることを特徴とする請求項３に記載のサウナ装置。
【請求項５】
前記第２ダクトの内壁に取り付けられ、前記第２ダクト内で前記熱風が通る流路を形成し、前記多孔板の孔を通って落下する水が前記サウナヒータにかかることを防止する水受け部を備えることを特徴とする請求項３または４に記載のサウナ装置。
【請求項６】
前記水受け部は、前記鉛直方向において異なった位置に取り付けられ、
前記水受け部は、前記鉛直方向から見たときに他の水受け部と重複する重複部を形成することを特徴とする請求項５に記載のサウナ装置。
【請求項７】
前記第２ダクトと前記サウナヒータは、前記鉛直方向から見た場合に前記第２ダクトと前記サウナヒータとが重ならないように配置され、
前記第１ダクトと前記サウナヒータは、前記第１ダクトの内壁と前記サウナヒータの外壁との間に排水口を形成することを特徴とする請求項３から６のいずれか一つに記載のサウナ装置。
【請求項８】
前記第２ダクトの前記鉛直方向上側に位置する開口部の開口面積を前記第２ダクトの本体部の面積よりも大きくすることを特徴とする請求項３から７のいずれか一つに記載のサウナ装置。
【発明の詳細な説明】
【技術分野】
【０００１】
本発明はサウナ装置に関するものである。
【背景技術】
【０００２】
現在では電力を熱源とするサウナが多く使用されており、本出願人もシーズヒータと呼ばれる電気ヒータによってサウナ室を加熱するサウナ装置を発明し、出願を行っている（特許文献１）。
【０００３】
特許文献１は、電気ヒータを用いたサウナ装置を対象になされたもので、電気ヒータによって加熱された空気が上方からサウナ室へ供給される。
【先行技術文献】
【特許文献】
【０００４】
【特許文献１】特開平９−５６７７０号公報
【発明の概要】
【発明が解決しようとする課題】
【０００５】
例えば小型のサウナ室を有効に利用するには、電気ヒータをベンチの下部に設け、サウナ室における最大収容人数を多くすることが考えられる。
【０００６】
しかし、上記の発明の電気ヒータをベンチの下部に設ける場合には、電気ヒータにより発生する熱風により、例えばベンチなどの温度が上昇し過ぎる、といった問題点がある。
【０００７】
本発明はこのような問題点を解決するために発明されたもので、電気ヒータなどのサウナストーブをベンチの下部に設けた場合でも、ベンチなどの温度過昇を防止し、サウナ装置を安全に運転することを目的とする。
【課題を解決するための手段】
【０００８】
本発明は、腰掛け部とサウナ室の床との間に空間を設け、背もたれ部とサウナ室の側壁との間に空間を設けてベンチを配置し、ベンチの内部空間にサウナヒータを配置するサウナ装置において、背もたれ部との間に空間を形成するサウナ室の側壁、およびベンチの可燃性部位のいずれか１箇所以上の温度を検出する温度検出部と、温度検出部によって検出した温度が所定温度以上となる場合にサウナヒータによる空気の加熱を減少するサウナヒータ制御部と、を備える。
【発明の効果】
【０００９】
本発明によると、サウナ室内の可燃性部位の温度が所定温度以上となることを防止し、サウナ装置を安全に運転させることができる。
【図面の簡単な説明】
【００１０】
【図１】本発明の第１実施形態のサウナ室の断面概略図である。
【図２】第１実施形態の温度センサの取り付け例を示す図である。
【図３】第１実施形態の温度センサの取り付け例を示す図である。
【図４】本発明の第２実施形態のサウナ室の断面概略図である。
【図５】本発明の第３実施形態のサウナ室の断面概略図である。
【発明を実施するための形態】
【００１１】
本発明の第１実施形態のサウナ装置について図１を用いて説明する。図１は、第１実施形態のサウナ室の断面概略図である。
【００１２】
サウナ装置は、サウナストーブ（サウナヒータ）１と、熱風誘導ダクト（第１ダクト）２と、温度センサ３、４、５、６と、コントローラ（サウナヒータ制御部）７と、を備える。
【００１３】
サウナストーブ１は、ベンチ８の腰掛け部８の座席面下部側に設けられる。ベンチ８の腰掛け部８ａとサウナ室の床９ａとサウナ室の側壁との間に空間１０（以下、この空間を内部空間とする。）が形成されており、サウナストーブ１は、内部空間１０を形成するサウナ室の床９ａに設置される。なお、ベンチ８の背面とサウナ室の壁は、不燃材板で覆われており、サウナストーブ１で生じる熱によってサウナ室の壁、およびベンチに用いられる可燃性部材（可燃性部位）が過熱されることを防止する。サウナストーブ１は、ベンチ８の背面とサウナ室の側壁９ｂとの間に所定の隙間をそれぞれ設けて設置される。図１においては、サウナ室の側壁として側壁９ｂのみを記載する。
【００１４】
サウナストーブ１は、電気サウナヒータであり、鉛直方向下側に設けた開口部１１によってサウナ室内の空気を内部へ取り入れ、比較的温度が低いサウナ室内の空気を電気ヒータ１２によって加熱する。電気ヒータ１２によって加熱された空気は、熱風として鉛直方向上側の開口部１３から熱風誘導ダクト２へ供給される。
【００１５】
なお、本実施形態では、サウナストーブ１として、電気サウナヒータを用いたが、これに限られることはなく、対流式ガスサウナヒータ、などを用いてもよい。
【００１６】
熱風誘導ダクト２は、サウナストーブ１によって発生する熱風をベンチ８の背もたれ部８ｂとサウナ室の側壁との間に形成される空間１４（以下、この空間を排気空間とする。）に誘導し、熱風を排気空間１４に供給する。熱風は排気空間１４を上昇し、サウナ室へ供給される。排気空間１４からサウナ室の上方へ供給された熱風の一部は、熱反射板１５によって方向が変更され、サウナ室全体に拡散する。
【００１７】
なお、内部空間１０、排気空間１４を形成する部材としてはサウナ室の側壁に限られることはなく、他の部材によって内部空間１０、排気空間１４を形成しても良い。
【００１８】
温度センサ３は、サウナ室の上方に設けられ、サウナ室の温度を検出する。
【００１９】
温度センサ（温度検出部）４は、熱反射板１５よりも鉛直方向下側であり、熱反射板１５が取り付けられるサウナ室の側壁９ｂに設けられる。温度センサ４は、図２に示すように、サウナ室の側壁９ｂの可燃性部材１６ａよりもサウナ室側へ設けられた不燃材板１６ｂの中に設けられる。
【００２０】
温度センサ（温度検出部）５は、ベンチ８の腰掛け部８ａの背面側であり、サウナストーブ１の直上付近に設けられる。温度センサ５は、図３に示すように、ベンチ８の可燃性部材１７ａよりも背面側へ設けられた不燃材板１７ｂの中に設けられる。温度センサ（温度検出部）６は、ベンチ８の背もたれ部８ｂの背面側であり、鉛直方向上側に設けられる。温度センサ６は温度センサ５と同様にベンチ８の不燃材板１７ｂの中に設けられる。
【００２１】
なお、温度センサ４〜６は、上記で説明した箇所に限られず、熱風により温度が高くなる箇所に設けられる。温度センサの配置箇所は、予め実験などにより定める。
【００２２】
また、本実施形態では温度センサ４〜６を不燃材板１６ｂ、１７ｂの中に設けたが、温度センサ４〜６をベンチ８の可燃性部材１６ａ、１７ａの中に設けても良く、空気中に設けても良い。
【００２３】
コントローラ７は、温度センサ３〜６によって検出した温度に基づいてサウナストーブ１を制御する。
【００２４】
本実施形態では、温度センサ３と温度センサ４〜６とは直列に配線され、サウナ室の温度、および不燃材板１６ｂ、１７ｂの温度が過昇した場合には、コントローラ７によってサウナストーブ１に供給される電力量を減少させる。
【００２５】
次に第１実施形態の作用について説明する。
【００２６】
サウナストーブ１によってサウナ室の空気が加熱されると、サウナストーブ１から熱風が熱風誘導ダクト２に供給される。このときサウナストーブ１によって生じる熱、および熱風誘導ダクト２を通る熱風の熱によって内部空間１０の温度は上昇する。
【００２７】
熱風誘導ダクト２に供給された熱風は、熱風誘導ダクト２を通り、排気空間１４に供給される。このとき排気空間１４に供給された熱風の一部は、内部空間１０にも流入し、内部空間１０の温度は上昇する。
【００２８】
排気空間１４に供給された熱風は、排気空間１４を上昇し、サウナ室へ供給される。このとき排気空間１４の温度が上昇する。
【００２９】
サウナ室の温度は、温度センサ３によって検出される。そして、検出した温度が所定範囲となるようにサウナストーブ１がコントローラ７によって制御される。所定範囲は、設定されるサウナ室の湿度などに応じて設定される。本実施形態では、所定範囲を８０℃から９０℃とする。
【００３０】
また、熱風により温度が高くなると予測される箇所の温度が温度センサ４〜６によって検出される。そして、検出した温度が所定温度よりも高い場合には、サウナストーブ１による空気の加熱を中止し、熱風の発生を中止する。所定温度は、ベンチ８などに用いられる可燃性部材１６ａ、１７ａが引火しない温度である。サウナ室の所定範囲が比較的高い８０℃から９０℃に設定された場合に、サウナ室の温度が例えば９０℃以下である場合でも、サウナ室へ拡散する前の熱風が当たる箇所、またはサウナストーブ１近傍では、温度が９０℃よりも高くなる。木材は、比重などにより異なるが、約１８０℃で引火することが知られている。そのため、安全性を考慮して、本実施形態では所定温度を１２０℃とする。
【００３１】
本実施形態では温度センサ４〜６を設けたが、実験などにより温度が最も高くなる箇所にのみ温度センサを設けても良い。
【００３２】
また、本実施形態ではサウナストーブ１を内部空間１０に設けたが、サウナストーブ１の一部が排気空間１４にかかるものであっても良い。
【００３３】
本発明の第１実施形態の効果について説明する。
【００３４】
ベンチ８の腰掛け部８ａの座席面下部側にサウナストーブ１を設けた場合に、サウナストーブ１によって発生する熱風によって温度が高くなる可能性がある可燃性部材１６ａ、１７ａの温度を温度センサ４〜６によって検出する。そして、温度センサ４〜６によって検出した温度が所定温度よりも高い場合には、サウナストーブ１による空気の加熱を中止して、サウナストーブ１における熱風の発生を中止する。これによって、可燃性部材の温度上昇を抑制することができ、サウナ装置を安全に運転することができる。
【００３５】
また、熱風誘導ダクト２によって、サウナストーブ１によって発生した熱風をベンチ８の背もたれ部８ｂの背面とサウナ室の側壁９ｂとの間に形成する排気空間１４に供給することで、ベンチ８の下部に形成される内部空間１０の温度上昇を抑制することができる。
【００３６】
次に本発明の第２実施形態について図４を用いて説明する。図４は、第２実施形態のサウナ室の断面概略図である。
【００３７】
第２実施形態のサウナ装置は、サウナ用加湿装置２０を備える。その他の構成については第１実施形態と同じ構成であり、ここでの説明は省略する。なお、第１実施形態と同じ構成を示すものについては、第１実施形態と同じ符号を付している。
【００３８】
サウナ用加湿装置２０は、ダクト（第２ダクト）２１と、多孔板２２と、サウナストーン２３と、水受け部２４〜２６とを備える。
【００３９】
ダクト２１は、開口部２７によって熱風誘導ダクト２の開口部１８と連通する。ダクト２１はベンチ８の背もたれ部８ｂに沿って鉛直方向に延設して設けられる。ダクト２１のもう一方の開口部２８は、鉛直方向上側に設けられる。サウナストーブ１で発生した熱風は熱風誘導ダクト２を介してダクト２１内に流入する。ダクト２１は熱風をサウナ用加湿装置２０の上方へ導き、熱風をサウナ室内へ供給する。
【００４０】
ダクト２１を設けることで、熱風を排気空間１４の鉛直方向上側まで導き、内部空間１０、排気空間１４に熱風が流入することを抑制することができる。
【００４１】
多孔板２２は、鉛直方向上側に位置するダクト２１の開口部２８付近に設けられる。なお、多孔板２２はダクト２１から脱着可能に取り付けても良い。多孔板２２は、サウナストーン２３をダクト２１の上方側に支持する。多孔板２２は、複数の孔２２ａを有している。この孔２２ａにより、ダクト２１内部とサウナ室とが連通し、ダクト２１内を通った熱風がサウナ室へ供給される。またサウナストーン２３に水がかけられた場合に、蒸発しなかった水は孔２２ａを通ってダクト２１内へ落下する。
【００４２】
多孔板２２は、サウナストーン２３を支持し、熱風を流通させるものであれば良く、例えば金網状のものなどを使用しても良い。
【００４３】
サウナストーン２３は、多孔板２２に載置され、ダクト２１内を上昇する熱風によって加熱される。加熱されたサウナストーン２３に水がかけられると、水が蒸発して水蒸気となりサウナ室を加湿する。
【００４４】
水受け部２４〜２６は、ダクト２１内に設けられる。水受け部２４〜２６は鉛直方向において異なった位置に設けられる。また、水受け部２４〜２６は、鉛直方向から見た場合に、水受け部２４と水受け部２５との一部が重なり、水受け部２５と水受け部２６との一部が重なるように設けられる。つまり、鉛直方向から見た場合に、重複部２９、３０を形成するように設けられる。また、水受け部２４〜２６は熱風が通る流路をダクト２１内に形成する。
【００４５】
水受け部２４〜２６は、上部が開口する箱状に形成され、多孔板２２の孔２２ａを通って落下した水を貯める。水受け部２４は、所定水位まで水が貯まった場合に、鉛直方向下側に位置する水受け部２５へ排水する排水管３１を備える。水受け部２５は、排水管３２を備え、水受け部２４と同様の構成である。また、水受け部２６は、所定水位まで水が貯まった場合に、貯まった水をダクト２１の外部へ排水する排水管３３を備える。なお、水受け部２４〜２６における所定水位は同じ水位としてもよく、また異なる水位としても良い。
【００４６】
サウナストーブ１によって発生した熱風は、熱風誘導ダクト２を介してダクト２１に供給される。ダクト２１に供給された熱風は、ダクト２１内を上昇し、多孔板２２に載置されているサウナストーン２３を加熱し、開口部２８からサウナ室に供給される。ダクト２１を設けることで熱風を排気空間１４の鉛直方向上側まで導くことができる。
【００４７】
加熱されたサウナストーン２３に水がかけられると、サウナストーン２３の熱によって水が蒸発し、サウナ室を加湿する。
【００４８】
このとき、サウナストーン２３の熱によって蒸発しなかった水は、ダクト２１内に落下し、水受け部２４〜２６に貯まる。水受け部２４、２５に貯まった水は排水管３１、３２によって鉛直方向下側に位置する水受け部２５、２６に排水される。また、水受け部２６に貯まった水は排水管３３によってダクト２１の外へ排水される。これにより、ダクト２１内に落下した水がサウナストーブ１にかかることを防止することができ、これにより、サウナストーブ１の電気ヒータ１２における不具合の発生を抑制することができる。
【００４９】
なお、サウナストーン２３などを設けずに、ダクト２１のみを設けても良い。また、熱風誘導ダクト２を排気空間１４内で鉛直方向上側に延設しても良い。
【００５０】
本実施形態では、水受け部を３つ設けたが、これに限られることはなく、多孔板２２の孔２２ａを通って落下する水がサウナストーブ１にかからず、サウナストーブ１によって加熱された熱風の流れを妨げなければ良い。また、水受け部２４〜２６の配置は上記した構成に限られることはなく、多孔板２２の孔２２ａを通って落下する水がサウナストーブ１にかからず、サウナストーブ１によって加熱された熱風の流れを妨げなければ良い。
【００５１】
また、水受け部２４、２５を箱状に形成したが、多孔板２２の孔２２ａを通って落下する水がサウナストーブ１にかからないような形状であれば良く、水受け部２４、２５を例えば平板状とし、傾斜を付けてダクト２１の内壁に取り付け、下側に位置する水受け部へ排水するようにしても良い。
【００５２】
また、水受け部２４、２５に設けた排水管３１、３２をダクト２１の外部へ連通し、ダクト２１の外部へ排水しても良い。
【００５３】
本発明の第２実施形態の効果について説明する。
【００５４】
ダクト２１によって熱風を鉛直方向上側まで導くことで、熱風をサウナ室へ効率よく供給することができ、内部空間１０、排気空間１４への熱風の流入を抑制することができる。そのため、ベンチ８などの可燃性部材の温度上昇を抑制することができ、サウナ装置を安全に運転することができる。
【００５５】
ダクト２１の鉛直方向上側に多孔板２２を設け、多孔板２２にサウナストーン２３を載置する。熱風によって加熱されたサウナストーン２３に水がかけられると水が蒸発する。これによって、サウナ室を加湿することができる。
【００５６】
ダクト２１に水受け部２４〜２６を設けることで、サウナストーン２３によって蒸発しなかった水を水受け部２４〜２６に貯めることができる。また、鉛直方向下側に位置する水受け部２６に貯められた水が所定水位以上となると、排水管３３によってダクト２１の外へ排水する。これによりダクト２１内に落下した水がサウナストーブ１にかかることを防止することができ、サウナストーブの電気的故障を防止することができる。
【００５７】
次に本発明の第３実施形態について図５を用いて説明する。図５は、第３実施形態のサウナ室の断面概略図である。
【００５８】
第３実施形態は、熱風誘導ダクト４０、ダクト４１が第２実施形態とは異なっている。また、内部空間１０におけるサウナストーブ１の位置が第２実施形態とは異なっている。その他の構成については、第２実施形態と同じ構成なのでここでの説明は省略する。
【００５９】
ダクト４１とサウナストーブ１とは、鉛直方向から見た場合に重ならないように設けられる。
【００６０】
ダクト４１は、ダクト４１の鉛直方向上側に位置する開口部４２の開口面積が、水平方向におけるダクト４１の本体部４３の面積よりも大きくなるように設ける。これにより、多くのサウナストーン２３を載置することができ、また本体部４３の幅を狭くすることができる。本体部４３の幅を狭くすることで、本体部４３とベンチ８の背面との隙間、および本体部４３とサウナ室の側壁９ｂとの隙間を大きくすることができ、ベンチ８およびサウナ室の側壁９ｂの温度上昇を抑制することができる。
【００６１】
熱風誘導ダクト４０は、鉛直方向下側の開口部４４がダクト４１の直下においても開口し、ダクト４１の直下においてサウナストーブ１との間に隙間（排水口）を形成する。そのため、例えばサウナストーン２３に多くの水がかけられ、サウナストーン２３によって蒸発しなかった水が水受け部２６からオーバーフローした場合でも、オーバーフローした水は、サウナストーブ１にかからずにサウナ室の床９ａに落水する。なお、熱風誘導ダクト４０（開口部４４）は、水受け部２６からオーバーフローした水がサウナストーブ１にかからない形状であればよい。
【００６２】
本実施形態においては、熱風誘導ダクト４０とサウナ室の側壁９ｂとの隙間は狭くなり、この隙間における流れ抵抗は大きくなる。さらに、ダクト４１の開口部４２の開口面積を大きくすることで、ダクトの鉛直方向上側における流れ抵抗も大きくなる。また、熱風誘導ダクト４０内の流れ抵抗は比較的小さいので、熱風は熱風ダクト４０を通り、ダクト４１へ供給される。そのため、熱風誘導ダクト４０と、サウナ室の側壁９ｂおよびベンチ８との間に形成される隙間、またはダクト４１と、サウナ室の側壁９ｂおよびベンチ８との間に形成される隙間に熱風が流入することを抑制することができ、サウナ室の側壁９ｂやベンチ８の温度上昇を抑制することができる。
【００６３】
なお、本実施形態においては、ダクト４１に水受け部２４〜２６を設けたが、水受け部を設けなくても良い。また、サウナストーブ１側に位置するダクトの内壁にのみ水受け部を設けても良い。また、ダクト４１とサウナストーブ１との位置関係は、ダクト４１内に落下した水がサウナストーブ１にかからない位置であればよい。
【００６４】
本発明の第３実施形態の効果について説明する。
【００６５】
ダクト４１の鉛直方向上側の開口部４２の開口面積をダクト４１の本体部４３の面積よりも大きくすることで、サウナストーン２３の載置量を多くし、サウナ室を効率よく加湿することができる。また、本体部４３の幅を狭くすることができ、本体部４３と、サウナ室の側壁９ｂおよびベンチ８との隙間を大きくすることができる。これにより、サウナ室の側壁９ｂおよびベンチ８の温度上昇を抑制することができる。
【００６６】
熱風誘導ダクト４０とサウナ室の側壁９ｂとの隙間、およびダクト４１の鉛直方向上側と、サウナ室の側壁９ｂおよびベンチ８との隙間を狭くすることで、熱風誘導ダクト４０とサウナ室の側壁９ｂ、およびダクト４１と、サウナ室の側壁９ｂおよびベンチ８との抵抗を大きくする。これにより、熱風誘導ダクト４０とサウナ室の側壁９ｂとの隙間、ダクト４１と、サウナ室の側壁９ｂおよびベンチ８との隙間に熱風が流入することを抑制することができる。
【００６７】
鉛直方向から見た場合に、ダクト４１とサウナストーブ１とが重ならないようにダクト４１とサウナストーブ１とを配置する。また、鉛直方向下側に位置する熱風誘導ダクト４０の開口部４４がダクト４１の直下においても開口するようにする。これにより、例えば水受け部２６から水がオーバーフローした場合でも、サウナストーブ１に水がかかることを防止することができる。
【００６８】
本発明は上記した実施形態に限定されるものではなく、その技術的思想の範囲内でなしうるさまざまな変更、改良が含まれることは言うまでもない。
【符号の説明】
【００６９】
１      サウナストーブ
２、４０      熱風誘導ダクト（第１ダクト）
３      温度センサ
４〜６    温度センサ（温度検出部）
７      コントローラ（サウナヒータ制御部）
８      ベンチ
８ａ    腰掛け部
８ｂ    背もたれ部
１２    電気ヒータ
２０    サウナ用加湿装置
２１、４１    ダクト（第２ダクト）
２２    多孔板
２２ａ  孔
２３    サウナストーン
２４〜２６    水受け部
２９、３０    重複部
３１〜３３    排水管
４４    開口部
【図１】
2010167013.tif 000003
【図２】
2010167013.tif 000004
【図３】
2010167013.tif 000005
【図４】
2010167013.tif 000006
【図５】
2010167013.tif 000007